(57)【特許請求の範囲】
【請求項１】
ＬＣＤ、ＬＥＤの点灯を行う携帯電話機のＬＣＤ及びＬＥＤ点灯時間可変システムにおいて、
ダイヤルキー、機能キーを有し、入力操作を行うためのキー操作部と、
前記ＬＣＤ、ＬＥＤの点灯時間を可変にする点灯時間可変部と、
前記キー操作部の押下毎に前記ＬＣＤ、ＬＥＤを点灯する点灯時間で変更不可能な点灯固定時間と、前記点灯固定時間よりも長く、前記キー操作部の操作時の周囲の明暗に応じた一日の時間帯、前記キー操作部の操作内容に対して変更可能な点灯可変時間を格納する点灯時間格納部と、
前記キー操作部の入力操作の時間帯、操作内容を判断して前記点灯時間格納部から点灯可変時間を読み出し、読み出した可変点灯時間に応じて前記点灯時間可変部に前記ＬＣＤ、ＬＥＤの点灯時間を可変にするように点灯制御を行い、前記キー操作部の入力操作中に前記ＬＣＤ、ＬＥＤの点灯を継続させる制御部とを備えることを特徴とする携帯電話機のＬＣＤ及びＬＥＤ点灯時間可変システム。
【請求項２】
前記点灯時間格納部に格納される点灯可変時間は、一日の時間帯のうち、日没から日の出までの時間帯に対する点灯時間が日の出から日没までの時間帯に対する点灯時間よりも長くなるように変更設定されることを特徴とする、請求項１に記載の携帯電話機のＬＣＤ及びＬＥＤ点灯時間可変システム。
【請求項３】
前記点灯時間格納部に格納される点灯可変時間は、一日の時間帯が季節、地域に応じて変更設定されることを特徴とする、請求項１に記載の携帯電話機のＬＣＤ及びＬＥＤ点灯時間可変システム。
【請求項４】
さらに、光検出器を設け、前記光検出器は、前記携帯電話機の周囲の明暗を検出し、前記制御部は、前記光検出器の検出に基づき、前記キー操作部の操作時の周囲が明い場合の点灯時間より暗い場合の点灯時間が長くなるように、前記点灯時間可変部に対して点灯制御を行うことを特徴とする、請求項１に記載の携帯電話機のＬＣＤ及びＬＥＤ点灯時間可変システム。
【請求項５】
前記点灯時間格納部には、電卓モード、電話帳の作成、留守番電話サービスの録音メッセージの聞き取り、オリジナル着信音の設定、文字送信メッセージ作成を含むキー操作部の操作内容に応じて長さが異なる前記可変点灯時間が記憶され、前記制御部は、前記キー操作部の操作に応じて、前記点灯時間格納部から前記可変点灯時間を取り出し、取り出した前記点灯時間で前記点灯時間可変部に対して前記ＬＣＤ、ＬＥＤの点灯を行わせる点灯制御を行うことを特徴とする、請求項１に記載の携帯電話機のＬＣＤ及びＬＥＤ点灯時間可変システム。
【請求項６】
ＬＣＤ、ＬＥＤの点灯を行う携帯電話機のＬＣＤ及びＬＥＤ点灯時間可変方法において、
キー操作部の押下毎に前記ＬＣＤ、ＬＥＤを点灯する点灯時間で変更不可能な点灯固定時間と、前記点灯固定時間よりも長く、前記キー操作部の操作時の周囲の明暗に応じた一日の時間帯、前記キー操作部の操作内容に対して変更可能な点灯可変時間を格納する工程と、
前記キー操作部のダイヤルキー、機能キーを用いて入力操作を行う工程と、
前記キー操作部の入力操作の時間帯、操作内容を判断して前記点灯時間格納部から点灯可変時間を読み出す工程と、
読み出した前記可変点灯時間に応じて前記ＬＣＤ、ＬＥＤの点灯時間を可変にし、前記キー操作部の入力操作中に前記ＬＣＤ、ＬＥＤの点灯を継続させる工程とを備えることを特徴とする携帯電話機のＬＣＤ及びＬＥＤ点灯時間可変方法。
【発明の詳細な説明】
【０００１】
【産業上の利用分野】
本発明は携帯電話機に関する。特に、本発明は、ＬＣＤ（Ｌｉｑｕｉｄ  Ｃｒｙｓｔａｌ  Ｄｉｓｐｌａｙ）の表示画面を照らすバックライトの点灯時間、キーボタンを照らすＬＥＤ（Ｌｉｇｈｔ  Ｅｍｉｔｔｉｎｇ  Ｄｉｏｄｅ）が発光する点灯時間を可変にするための携帯電話機のＬＣＤ及びＬＥＤ点灯時間可変システム及び方法に関する。
【０００２】
【従来の技術】
特開平１１−２８４７１２号公報に開示される携帯電話機では、電力消費の低減の観点から、表示部、操作キー等のバックライトの点灯時間設定方法が開示されている。
上記点灯時間設定方法では、キー操作部のボタンを押してから何秒というふうに、所定の時間が決められている。
【０００３】
この所定の時間を、例えば、１５秒とすると、キー操作部のキーボタンの押下から次の押下までの時間が１５秒以内に連続的に押下が行われていれば、表示部、操作キー等のバックライトの点灯が継続し、次の押下までの時間が１５秒を超えると、その時点で表示部、操作キー等のバックライトは点灯を終了し、消灯する。
【０００４】
【発明が解決しょうとする課題】
しかしながら、上記点灯時間設定方法では、例えば、夜や、暗い場所で電卓モードを使うとき、又は文字送信メッセージを作成するとき、上記の所定の時間が経過してしまえば、表示部、操作キー等のバックライトが消灯してしまい、表示部の表示画面、キーボタンが見にくくなり、次のキー操作部の操作がしづらくなるという問題がある。
【０００５】
特に、夜や、暗い場所等で留守番電話サービスでの録音メッセージを確認するときには、サービス案内を聞いているうちに所定の時間が経過してしまい、表示部、操作キー等のバックライトが消えてしまう。
どれか１つのボタンを押すことにより、再点灯するが、この再点灯でも使用者にとって十分な点灯時間が得られず、再消灯に至る。
【０００６】
しかも、暗い状況で、再点灯のために、例えば、指定の電源のキーボタンを押せれば、誤入力に至らないが、正確に指定のキーボタンを操作するのは困難であり、指定のキーボタンの操作に失敗すると、再点灯ができても、誤入力が行われるという問題がある。
【０００７】
従って、本発明は上記問題点に鑑みて、夜や、暗い場所でキー操作部の操作時に、キーボタンの押下の間隔が所定の時間よりも長くなっても、上記表示部に対応するＬＣＤのバックライト、上記操作キーのバックライトに対応するＬＥＤが簡単に点灯・発光から消灯・消光に至らず、使用者が使いやすい携帯電話機のＬＣＤ及びＬＥＤ点灯時間可変システム並びに方法を提供することを目的とする。
【０００８】
【課題を解決するための手段】
本発明は前記問題点を解決するために、ＬＣＤ、ＬＥＤの点灯を行う携帯電話機のＬＣＤ及びＬＥＤ点灯時間可変システムにおいて、ダイヤルキー、機能キーを有し、入力操作を行うためのキー操作部と、前記ＬＣＤ、ＬＥＤの点灯時間を可変にする点灯時間可変部と、前記キー操作部の押下毎に前記ＬＣＤ、ＬＥＤを点灯する点灯時間で変更不可能な点灯固定時間と、前記点灯固定時間よりも長く、前記キー操作部の操作時の周囲の明暗に応じた一日の時間帯、前記キー操作部の操作内容に対して変更可能な点灯可変時間を格納する点灯時間格納部と、前記キー操作部の入力操作の時間帯、操作内容を判断して前記点灯時間格納部から点灯可変時間を読み出し、読み出した可変点灯時間に応じて前記点灯時間可変部に前記ＬＣＤ、ＬＥＤの点灯時間を可変にするように点灯制御を行い、前記キー操作部の入力操作中に前記ＬＣＤ、ＬＥＤの点灯を継続させる制御部とを備えることを特徴とする携帯電話機のＬＣＤ及びＬＥＤ点灯時間可変システムを提供する。
【０００９】
この手段により、夜や、暗い場所でキー操作部の操作時に、キー操作部の押下の間隔が所定の時間よりも長くなっても、ＬＣＤ、ＬＥＤが簡単に点灯から消灯に至らず、使用者が使いやすくなり、誤入力無しに再点灯が可能になる。このようにして、電力消費を考慮しつつ、入力操作中に前記ＬＣＤ、ＬＥＤの点灯を継続し再点灯の煩わしさを回避することが可能になる。
さらに、前記点灯時間格納部に格納される点灯可変時間は、一日の時間帯のうち、日没から日の出までの時間帯に対する点灯時間が日の出から日没までの時間帯に対する点灯時間よりも長くなるように変更設定される。
この手段により、夜のように暗い時間帯では、ＬＣＤ、ＬＥＤが簡単に点灯から消灯に至らなくなる。
【００１０】
さらに、前記点灯時間格納部に格納される点灯可変時間は、一日の時間帯が季節、地域に応じて変更設定される。
この手段により、季節、地域に起因して日没、日の出の時刻の変化に対応して時間帯の調整が可能になる。
【００１１】
さらに、光検出器を設け、前記光検出器は、前記携帯電話機の周囲の明暗を検出し、前記制御部は、前記光検出器の検出に基づき、前記キー操作部の操作時の周囲が明い場合の点灯時間より暗い場合の点灯時間が長くなるように、前記点灯時間可変部に対して点灯制御を行う。
この手段により、暗い時間帯でも、明るい場所等で使用するときには、ＬＣＤ、ＬＥＤの点灯時間を短く、明るい時間帯でも、暗い場所等で使用するときは、点灯時間を長くというように自由に設定できる。
【００１２】
前記点灯時間格納部には、電卓モード、電話帳の作成、留守番電話サービスの録音メッセージの聞き取り、オリジナル着信音の設定、文字送信メッセージ作成を含むキー操作部の操作内容に応じて長さが異なる前記可変点灯時間が記憶され、前記制御部は、前記キー操作部の操作に応じて、前記点灯時間格納部から前記可変点灯時間を取り出し、取り出した前記点灯時間で前記点灯時間可変部に対して前記ＬＣＤ、ＬＥＤの点灯を行わせる点灯制御を行う。
この手段により、操作内容に応じてＬＣＤ、ＬＥＤの点灯時間の設定が可能になる。
【００１３】
さらに、ＬＣＤ、ＬＥＤの点灯を行う携帯電話機のＬＣＤ及びＬＥＤ点灯時間可変方法において、キー操作部の押下毎に前記ＬＣＤ、ＬＥＤを点灯する点灯時間で変更不可能な点灯固定時間と、前記点灯固定時間よりも長く、前記キー操作部の操作時の周囲の明暗に応じた一日の時間帯、前記キー操作部の操作内容に対して変更可能な点灯可変時間を格納する工程と、前記キー操作部のダイヤルキー、機能キーを用いて入力操作を行う工程と、
前記キー操作部の入力操作の時間帯、操作内容を判断して前記点灯時間格納部から点灯可変時間を読み出す工程と、読み出した前記可変点灯時間に応じて前記ＬＣＤ、ＬＥＤの点灯時間を可変にし、前記キー操作部の入力操作中に前記ＬＣＤ、ＬＥＤの点灯を継続させる工程とを備えることを特徴とする携帯電話機のＬＣＤ及びＬＥＤ点灯時間可変方法を提供する。
【００１４】
この手段により、上記発明と同様に、夜や、暗い場所でキー操作部の操作時に、キー操作部の押下の間隔が所定の時間よりも長くなっても、ＬＣＤ、ＬＥＤが簡単に点灯から消灯に至らず、使用者が使いやすくなり、誤入力無しに再点灯が可能になる。このようにして、電力消費を考慮しつつ、入力操作中に前記ＬＣＤ、ＬＥＤの点灯を継続し再点灯の煩わしさを回避することが可能になる。
【００１５】
【発明の実施の形態】
以下、本発明の実施の形態について図面を参照して説明する。
図１は本発明に係る携帯電話機の概略構成を示す図である。本図に示すように、携帯電話機１の前面には、キー操作部２が設けられ、キー操作部２はダイヤルキー、機能キー等とからなる。
【００１６】
さらに、携帯電話機１の前面にはＬＣＤ３が配置され、ＬＣＤ３は時刻、各種メッセージ、通話状況等を表示する。
さらに、携帯電話機１の前面には送話マイクロフォン４、受話スピーカ５が配置され、送話マイクロフォン４は送信すべき音声を入力して電気信号に変換し、受話スピーカ５は受話音の電気信号を音声に変換して出力する。
【００１７】
さらに、携帯電話機１の裏面の上部にはホイップアンテナ６が配置され、ホイップアンテナ６は携帯電話機１と基地局との間の電波の送受信を行う。
さらに、携帯電話機１の下部には電源供給用電池部７が配置され、電源供給用電池部７は外部から充電され、携帯電話機１の各部に電力を供給する。
図２は図１における携帯電話機１に内蔵される基板の概略構成を示す図である。本図に示すように、携帯電話機１には基板１０が内蔵され、基板１０には、キー操作部２、ＬＣＤ３、複数のＬＥＤ１１が設けられ、複数のＬＥＤ１１は、キー操作部２のキーボタンの周囲に配置される。
【００１８】
携帯電話機１の前面を形成する筐体の穴からキー操作部２のキーボタンが前面に突き出し、前面からＬＣＤ３が見えるようになっている。
ＬＣＤ３には図示しないバックライトが内蔵され、ＬＣＤ３は内蔵されるバックライトの点灯（以下、バックライトを省略して、ＬＣＤ３の点灯のように表現する）により、表示画面が照らされる。
【００１９】
また、複数のＬＥＤ１１は、発光し、暗い環境でもキー操作しやすいようにキー操作部２を携帯電話機１の前面の下から照らす（以下、ＬＥＤ１１の発光、消光をＬＥＤ１１の点灯、消灯と表現する）。
図３は図１における携帯電話機１のＬＣＤ及びＬＥＤ点灯時間可変システムを説明する図である。
【００２０】
本図に示すように、携帯電話機のＬＣＤ及びＬＥＤ点灯時間可変システムには、携帯電話機１の制御部１７が設けられ、制御部１７は、ＣＰＵ（Ｃｅｎｔｒａｌ  Ｐｒｏｃｅｓｓｉｎｇ  Ｕｎｉｔ）により構成され、まず、ＬＣＤ３の表示制御、点灯制御、ＬＥＤ１１の点灯制御を行う。
さらに、制御部１７には無線部１６が接続され、無線部１６は送受信信号の周波数変換処理、変復調処理を行う。すなわち、無線部１６は、制御部１７から変調信号を入力し、ホイップアンテナ６に被変調された高周波の送信信号を出力し、ホイップアンテナ６から高周波の受信信号を入力し、復調後の受信信号を制御部１７に出力する。
【００２１】
さらに、制御部１７には着信報知部２０が接続され、着信報知部２０は、制御部１７から着信信号を入力すると、着信音（リンガ）、バイブレーションにより、使用者に着信を報知する。
さらに、制御部１７にはメモリ２２が接続され、メモリ２２は制御部１７を制御するための各種プログラム、データが格納される。例えば、メモリ２２は、使用者のキー操作部２の操作により、着信音、バイブレーションの着信方法の選択データを記憶する。
【００２２】
さらに、制御部１７には時計２３が接続され、時計２３は制御部１７に時刻情報を出力する。
さらに、制御部１７には点灯時間可変部１７Ａが設けられ、点灯時間可変部１７Ａは、ＬＣＤ３、ＬＥＤ１１の点灯時間を可変にする。
さらに、メモリ２２には点灯時間格納部２２Ａが設けられ、点灯時間格納部２２Ａは、使用者のキー操作部２の操作により、ＬＣＤ３、ＬＥＤ１１の点灯点灯時間情報を格納する。
【００２３】
図４は図３におけるメモリ２２の点灯時間格納部２２Ａに格納される、点灯時間を可変にする時間帯情報を説明する図である。
本図に示すように、メモリ２２の点灯時間格納部２２Ａには、ＬＣＤ３、ＬＥＤ１１の点灯時間を可変にする一日のうちの時間帯が使用者のキー操作部２により記憶される。
【００２４】
例えば、開始時刻：１８：００、終了時刻：６：００のように、上記時間帯が記憶される。上記時間帯は一日のうちで、太陽が出ない暗い時間帯であり、明かりのない外では、ＬＣＤ３、ＬＥＤ１１の点灯無しでは、キー操作部を操作することができない時間帯である。
なお、上記時間帯は、使用者により、キー操作部２から春夏秋冬、地域に応じて変更可能である。夏は明るい時間帯が短く、冬は長いからであり、地域に起因して、日の出、日没時刻が異なるためである。
【００２５】
図５は図３におけるメモリ２２の点灯時間格納部２２Ａに格納される、点灯時間情報を説明する図である。
本図に示すように、メモリ２２の点灯時間格納部２２Ａには、ＬＣＤ３、ＬＥＤ１１を点灯する固定時間と、可変時間が格納される。
上記固定時間は、例えば、１５秒であり、従来技術の項で説明したバックライトの点灯時間に対応する。この固定時間は使用者により変更することはできない。
【００２６】
上記可変時間は、例えば、６０秒に設定される。この可変時間は、ユーザーにより変更することができる。キー操作部２の入力操作の内容により、キー操作部２の操作間隔が異なるためである。
上記固定時間、上記可変時間については、いずれか一方が選択されるように記憶される。
【００２７】
図６は図５の点灯時間格納部２２Ａに格納される点灯時間情報の変形例である。
本図に示すように、点灯時間格納部２２Ａには時間帯に応じて、ＬＣＤ３、ＬＥＤ１１の点灯時間情報が異なるように、記憶されてもよい。
すなわち、一日のうちで明るい６：００〜１８：００のような昼間の時間帯に対しては、ＬＣＤ３、ＬＥＤ１１の点灯時間は、例えば、４５秒に設定され、１８：００〜６：００のような夜間の時間帯の点灯時間６０秒よりも短く、固定時間１５秒よりも長く設定される。
【００２８】
使用者が昼間でも薄暗い場所でキー操作部２の入力操作をしたり、又は目の悪い使用者がキー操作部２の入力操作をする場合、ＬＣＤ３、ＬＥＤ１１の点灯がされていると、入力操作がしやすくなる。
なお、点灯時間を夜間の時間帯よりも短くしたのは、ＬＣＤ３、ＬＥＤ１１の消灯中の比較的暗い場所では、ＬＣＤ３の表示画面は見にくくても、キー操作部２の位置の確認は可能であり、誤入力無しに、再点灯が行える。
【００２９】
再点灯の煩わしさと、電力消費を考慮して、上記の点灯時間が設定される。
上記の点灯時間は、使用者により、設定可能であり、設定値を変更することも可能である。
図７は図３における制御部１７の点灯時間可変部１７Ａによる点灯時間の可変制御動作を説明するフローチャートである。
【００３０】
本図に示すように、ステップＳ１において、最初に、キー操作部２のキーボタンの押下があると、固定時間１５秒の押下間隔でＬＣＤ３、ＬＥＤ１１が点灯する。使用者は、この間に、点灯時間を可変にするキー操作部２のキーボタンの押下を行う。
この押下があると、制御部１７の点灯時間可変部１７Ａは、点灯時間を可変にするキー操作部２のキーボタンの押下を確認する。
【００３１】
ステップＳ２において、点灯時間可変部１７Ａは、メモリ２２の点灯時間格納部２２Ａに対して、ＬＣＤ３、ＬＥＤ１１の点灯時間を可変にする時間帯１８：００〜６：００が設定されているか否かを問い合わせる。設定されていない場合には、ステップＳ５に進む。
ステップＳ３において、設定されている場合には、点灯時間可変部１７Ａは、時計２３の時刻情報を基に、現在の時刻が、上記時間帯内１８：００〜６：００であるか否かを判断する。上記時間帯内１８：００〜６：００にない場合には、ステップＳ５に進む。
【００３２】
ステップＳ４において、上記時間帯内１８：００〜６：００であれば、点灯時間可変部１７Ａは、点灯時間格納部２２ＡからＬＣＤ３、ＬＥＤ１１の点灯時間６０秒を読み出し、読み出した点灯時間６０秒だけ、ＬＣＤ３、ＬＥＤ１１の点灯制御を行う。
ステップＳ５において、携帯電話機に初期に設定されている固定時間１５秒でＬＣＤ３、ＬＥＤ１１の点灯を行い、処理を終了する。
【００３３】
ステップＳ６において、点灯時間可変部１７Ａは、ＬＣＤ３、ＬＥＤ１１の点灯中に再度キー操作部２のキーボタンの再押下があったか否かを判断する。再押下がある場合には、ステップＳ２に戻り、以上のステップを繰り返す。
ステップＳ７において、再押下がない場合には、ステップＳ４で点灯時間格納部２２Ａから読み出された点灯時間６０秒の経過を待つ。
【００３４】
ステップＳ８において、点灯時間６０秒経過後、ＬＣＤ３、ＬＥＤ１１の点灯を終了し、処理を終了する。
図８は図３における制御部１７の点灯時間可変部１７Ａによる固定時間の制御動作を説明するフローチャートである。
本図に示すように、ステップＳ１１において、キー操作部２のキーボタンの押下を確認する。
【００３５】
ステップＳ１２において、点灯時間可変部１７Ａは、点灯時間格納部２２ＡからＬＣＤ３、ＬＥＤ１１の固定時間１５秒を読み出し、点灯時間可変部１７ＡはＬＣＤ３、ＬＥＤ１１の点灯を開始し、読み出した固定時間１５秒だけ、ＬＣＤ３、ＬＥＤ１１の点灯制御を行う。
ステップＳ１３において、点灯時間可変部１７Ａは、ＬＣＤ３、ＬＥＤ１１の点灯中に再度キー操作部２のキーボタンの再押下があったか否かを判断する。再押下がある場合には、ステップＳ１２に戻る。
【００３６】
ステップＳ１４において、再押下がない場合には、点灯時間格納部２２Ａから読み出された固定時間１５秒の経過を待つ。
ステップＳ１５において、固定時間１５秒経過後、ＬＣＤ３、ＬＥＤ１１の点灯を終了し、処理を終了する。
図９は本発明に係る携帯電話機のＬＣＤ及びＬＥＤ点灯時間可変システムの点灯制御例を説明するタイミングチャートである。
【００３７】
本図に示すように、固定時間１５秒が選択されている場合には、例えば、キー操作部２のキーボタンの押下間隔が、…５秒、１２秒、１０秒、５０秒、９秒、３０秒、…とすると、本図（ａ）に示すように、押下間隔が５秒、１２秒、１０秒の場合には、ＬＣＤ３、ＬＥＤ１１が点灯を継続する。
次の押下間隔が５０秒の場合、押下後１５秒を経過後に、ＬＣＤ３、ＬＥＤ１１が点灯から消灯に至る。
【００３８】
前の押下から５０秒後に再押下があると、ＬＣＤ３、ＬＥＤ１１が消灯から点灯に至る。
次の押下間隔が９秒の場合、ＬＣＤ３、ＬＥＤ１１の点灯が継続し、次の押下間隔が３０秒の場合、押下後、１５秒を経過後にＬＣＤ３、ＬＥＤ１１が点灯から消灯に至る。
【００３９】
本図（ｂ）に示すように、点灯時間６０秒の場合、上記押下間隔では、ＬＣＤ３、ＬＥＤ１１は、消灯することなく、点灯を継続する。
従って、本発明によれば、昼間の時間帯に使用するときには、ＬＣＤ３、ＬＥＤ１１の点灯時間を短く、夜の時間帯に使用するときは長くというように自由に設定できる。
【００４０】
図１０は図３おける携帯電話機１のＬＣＤ及びＬＥＤ点灯時間可変システムの変形例を説明する図である。
本図に示すように、携帯電話機のＬＣＤ及びＬＥＤ点灯時間可変システムには、光検出器３０が設けられ、光検出器３０は、例えば、フォトダイオード等からなり、携帯電話機の外部の明るさを検出し、検出信号を制御部１７の点灯時間可変部１７Ａに出力する。
【００４１】
暗い場所でキー操作部の操作時に、点灯時間可変部１７Ａは、前述の時計２３に代わり、光検出器３０により、一定の明るさが検出されない場合には、ＬＣＤ３、ＬＥＤ１１に点灯時間の設定を行う。
従って、本発明によれば、明るい、暗いといった使用場所、使用状況においても、暗い時間帯でも明るい場所等で使用するときには、ＬＣＤ３、ＬＥＤ１１の点灯時間を短く、明るい時間帯でも暗い場所等で使用するときは長くというように自由に設定できる。
【００４２】
図１１は図３におけるメモリ２２の点灯時間格納部２２Ａに格納される、点灯時間情報の別の例を説明する図である。
本図に示すように、メモリ２２の点灯時間格納部２２Ａには、例えば、操作内容：電卓モードに対して、ＬＣＤ３のバックライト、ＬＥＤ１１の点灯時間は６０秒が格納される。
【００４３】
操作内容：電話帳の作成に対して、ＬＣＤ３のバックライト、ＬＥＤ１１の点灯時間は９０秒が格納される。
操作内容：留守番電話サービスの録音メッセージの聞取りに対して、ＬＣＤ３のバックライト、ＬＥＤ１１の点灯時間は１２０秒が格納される。
操作内容：オリジナル着信音の設定に対して、ＬＣＤ３のバックライト、ＬＥＤ１１の点灯時間は１５０秒が格納される。
【００４４】
操作内容：文字送信メッセージ作成に対して、ＬＣＤ３のバックライト、ＬＥＤ１１の点灯時間は１８０秒が格納される。
このように、キー操作部２の操作内容毎に点灯時間を設定することにより、ＬＣＤ３、ＬＥＤ１１の点灯時間を、時刻、場所、環境等、使用する状態に合せて自由に設定することができ、いかなる環境、状況下でも使用者が正しく使いやすくなる。
【００４５】
【発明の効果】
以上説明したように、本発明によれば、明暗に応じて、ＬＣＤ、ＬＥＤの点灯を行う点灯時間を可変にするので、夜や、暗い場所でキー操作部の操作時に、キーボタンの押下の間隔が所定の時間よりも長くなっても、ＬＣＤ、ＬＥＤが簡単に点灯から消灯に至らず、使用者が使いやすくなる。
【図面の簡単な説明】
【図１】本発明に係る携帯電話機の概略構成を示す図である。
【図２】図１における携帯電話機１に内蔵される基板の概略構成を示す図である。
【図３】図１における携帯電話機１のＬＣＤ及びＬＥＤ点灯時間可変システムを説明する図である。
【図４】図３におけるメモリ２２の点灯時間格納部２２Ａに格納される、点灯時間を可変にする時間帯情報を説明する図である。
【図５】図３におけるメモリ２２の点灯時間格納部２２Ａに格納される、点灯時間情報を説明する図である。
【図６】図５の点灯時間格納部２２Ａに格納される点灯時間情報の変形例である。
【図７】図３における制御部１７の点灯時間可変部１７Ａによる点灯時間の可変制御動作を説明するフローチャートである。
【図８】図３における制御部１７の点灯時間可変部１７Ａによる固定時間の制御動作を説明するフローチャートである。
【図９】本発明に係る携帯電話機のＬＣＤ及びＬＥＤ点灯時間可変システムの点灯制御を説明するタイミングチャートである。
【図１０】図３おける携帯電話機１のＬＣＤ及びＬＥＤ点灯時間可変システムの変形例を説明する図である。
【図１１】図３におけるメモリ２２の点灯時間格納部２２Ａに格納される、点灯時間情報の別の例を説明する図である。
【符号の説明】
１…携帯電話機
２…キー操作部
３…ＬＣＤ
４…送話マイクロフォン
５…受話スピーカ
６…ホイップアンテナ
７…電源供給用電池部
１０…基板
１１…ＬＥＤ
１６…無線部
１７…制御部
１７Ａ…点灯時間可変部
２０…着信報知部
２２…メモリ
２２Ａ…点灯時間格納部
２３…時計
３０…光検出器
【図１】
0003564349.tif 000002
【図２】
0003564349.tif 000003
【図３】
0003564349.tif 000004
【図４】
0003564349.tif 000005
【図５】
0003564349.tif 000006
【図６】
0003564349.tif 000007
【図７】
0003564349.tif 000008
【図８】
0003564349.tif 000009
【図９】
0003564349.tif 000010
【図１０】
0003564349.tif 000011
【図１１】
0003564349.tif 000012